(57)【要約】【課題】撮影レンズのフォーカス位置、ズーム位置、絞り位置から被写体距離、焦点距離、絞り値を求めてそれらの情報（レンズ情報）をメタデータとしてレコーダ等の外部機器に出力する機能を備えたレンズシステムにおいて、撮影レンズに外付けのエクステンダーを装着した場合に、エクステンダーを含む撮影光学系全体としての被写体距離、焦点距離、絞り値を求めてメタデータとして出力することにより、エクステンダーを装着したことによるユーザによるメタデータの修正作業等を不要にするレンズシステムを提供する。【解決手段】レンズシステムのＣＰＵ６０は、撮影レンズ１０にエクステンダーが装着された場合にその倍率を撮影レンズ１０のエンコーダ６８から取得する。そして、各位置センサ６２、６４、６６から得た撮影レンズ１０のフォーカス位置、ズーム位置、絞り位置に基づいて撮影レンズ１０の被写体距離、焦点距離、絞り値を求めると共に、その焦点距離、絞り値をエクステンダー倍率に応じて修正する。【選択図】      図３
2005266524.tif 000002
【特許請求の範囲】
【請求項１】
撮影レンズの設定状態に応じた撮影光学系の被写体距離、焦点距離、絞り値のうち少なくとも焦点距離を含むいずれか１つ又は複数の情報からなるレンズ情報を外部機器に出力するレンズシステムであって、
前記撮影レンズの設定状態を検出する設定状態検出手段と、
前記撮影レンズに装着された着脱可能な光学アクセサリーの種類を検出する光学アクセサリー検出手段と、
前記設定状態検出手段により検出された前記撮影レンズの設定状態と、前記光学アクセサリー検出手段により検出された光学アクセサリーの種類に基づいて、前記撮影レンズと前記光学アクセサリーの両方を含む撮影光学系全体としての前記レンズ情報を生成するレンズ情報生成手段と、
前記レンズ情報生成手段により生成されたレンズ情報を出力する出力手段と、
を備えたことを特徴とするレンズシステム。
【請求項２】
前記レンズ情報生成手段は、前記撮影レンズの光学系のみでの前記レンズ情報を、前記光学アクセサリー検出手段により検出された光学アクセサリーの種類に基づいて修正することにより、前記撮影光学系全体としての前記レンズ情報を生成することを特徴とする請求項１のレンズシステム。
【請求項３】
前記レンズ情報生成手段は、前記撮影レンズの光学系のみでの前記レンズ情報に、前記光学アクセサリー検出手段により検出された光学アクセサリーの種類に関する情報を付加することにより、前記撮影光学系全体としてのレンズ情報を生成することを特徴とする請求項１のレンズシステム。
【請求項４】
前記光学アクセサリーはエクステンダーであり、前記光学アクセサリー検出手段は、前記エクステンダーの倍率を検出することにより前記エクステンダーの種類を検出し、前記レンズ情報生成手段は、前記光学アクセサリー検出手段によって検出された前記エクステンダーの倍率に応じて、前記設定状態検出手段により検出された設定状態における前記撮影レンズの光学系のみでの焦点距離を修正することを特徴とする請求項２のレンズシステム。
【発明の詳細な説明】
【技術分野】
【０００１】
本発明はレンズシステムに係り、特にエクステンダー等の光学アクセサリーが外付けで装着されるレンズシステムに関する。
【背景技術】
【０００２】
従来、放送用又は映画用カメラ等で使用される撮影レンズには、外付けで装着する光学アクセサリーが用意されており、例えば、撮影レンズの焦点距離を所定倍に変換するエクステンダー、テレコンバーター、ワイドコンバーター等が良く知られている。
【０００３】
また、放送用又は映画用カメラ等で使用される撮影レンズを用いたレンズシステムとして、撮影レンズのフォーカス位置、ズーム位置、絞り位置から被写体距離、焦点距離、絞り値などの光学情報（以下、レンズ情報）を求めてメタデータとしてカメラ本体やレコーダ等の外部機器に出力できるようにしたレンズシステムが知られている。尚、レンズ情報を求めて表示するものについては、例えば特許文献１に記載されている。
【特許文献１】特開２００３−１０１８３５号公報
【発明の開示】
【発明が解決しようとする課題】
【０００４】
しかしながら、上記のようなメタデータの出力機能を備えたレンズシステムにおいて、従来では、撮影レンズにエクステンダー等の光学アクセサリーを装着した場合の対応は図られていない。例えば、光学アクセサリーを装着することによって、撮影レンズと光学アクセサリーの両方を含む撮影光学系全体での焦点距離や絞り値等が、撮影レンズのみの光学系での焦点距離や絞り値と異なる場合であっても撮影レンズのみの光学系に関するレンズ情報しか出力されていない。そのため、外部機器で撮影光学系全体としてのレンズ情報が必要な場合に、レンズシステムから取得したレンズ情報を撮影レンズに装着した光学アクセサリーの種類に応じてユーザが修正する作業を行わなければならないという手間を要していた。
【０００５】
本発明はこのような事情に鑑みてなされたもので、撮影レンズにエクステンダー等の光学アクセサリーを装着した場合に、撮影レンズと光学アクセサリーの両方を含む撮影光学系全体のレンズ情報を出力することができるレンズシステムを提供することを目的とする。
【課題を解決するための手段】
【０００６】
前記目的を達成するために、請求項１に記載のレンズシステムは、撮影レンズの設定状態に応じた撮影光学系の被写体距離、焦点距離、絞り値のうち少なくとも焦点距離を含むいずれか１つ又は複数の情報からなるレンズ情報を外部機器に出力するレンズシステムであって、前記撮影レンズの設定状態を検出する設定状態検出手段と、前記撮影レンズに装着された着脱可能な光学アクセサリーの種類を検出する光学アクセサリー検出手段と、前記設定状態検出手段により検出された前記撮影レンズの設定状態と、前記光学アクセサリー検出手段により検出された光学アクセサリーの種類に基づいて、前記撮影レンズと前記光学アクセサリーの両方を含む撮影光学系全体としての前記レンズ情報を生成するレンズ情報生成手段と、前記レンズ情報生成手段により生成されたレンズ情報を出力する出力手段と、を備えたことを特徴としている。
【０００７】
本発明によれば、撮影レンズに光学アクセサリーが装着された場合に、撮影レンズのフォーカス位置、ズーム位置、絞り位置などの設定状態から得られる被写体距離、焦点距離、絞り値などのレンズ情報が光学アクセサリーを含む撮影光学系全体としてのレンズ情報と異なるようなときでも撮影光学系全体としてのレンズ情報が出力されるため、従来のように撮影レンズの光学系に関して得られたレンズ情報をユーザが修正して撮影光学系全体のレンズ情報を求めるというような手間が不要となる。
【０００８】
請求項２に記載のレンズシステムは、請求項１に記載の発明において、前記レンズ情報生成手段は、前記撮影レンズの光学系のみでの前記レンズ情報を、前記光学アクセサリー検出手段により検出された光学アクセサリーの種類に基づいて修正することにより、前記撮影光学系全体としての前記レンズ情報を生成することを特徴としている。即ち、本発明は、撮影レンズの光学系に関して得られたレンズ情報の焦点距離などの値を修正することによって光学アクセサリーを含む撮影光学系全体としてのレンズ情報を生成するようにしたものである。
【０００９】
請求項３に記載のレンズシステムは、請求項１に記載の発明において、前記レンズ情報生成手段は、前記撮影レンズの光学系のみでの前記レンズ情報に、前記光学アクセサリー検出手段により検出された光学アクセサリーの種類に関する情報を付加することにより、前記撮影光学系全体としてのレンズ情報を生成することを特徴としている。本発明は、撮影レンズの光学系に関して得られたレンズ情報に、撮影レンズに装着された光学アクセサリーの種類に関する情報を付加することに撮影光学系全体としてのレンズ情報を生成し、出力するようにした態様であり、このような付加情報によっても撮影光学系全体としてのレンズ情報の値を外部機器などで容易に求めることができるようになる。
【００１０】
請求項４に記載のレンズシステムは、請求項２に記載の発明において、前記光学アクセサリーはエクステンダーであり、前記光学アクセサリー検出手段は、前記エクステンダーの倍率を検出することにより前記エクステンダーの種類を検出し、前記レンズ情報生成手段は、前記光学アクセサリー検出手段によって検出された前記エクステンダーの倍率に応じて、前記設定状態検出手段により検出された設定状態における前記撮影レンズの光学系のみでの焦点距離を修正することを特徴としている。
【発明の効果】
【００１１】
本発明に係るレンズシステムによれば、撮影レンズと光学アクセサリーの両方を含む撮影光学系全体としてのレンズ情報を出力するため、そのレンズ情報を取得した外部機器では光学アクセサリーによって変化した撮影光学系全体としての焦点距離、絞り値などの情報をユーザによる修正作業等の手間なく正しく認識することができる。
【発明を実施するための最良の形態】
【００１２】
以下、添付図面に従って本発明に係るレンズシステムの好ましい実施の形態について詳説する。
【００１３】
図１は、シネマタイプの撮影レンズで構築されるメタデータ出力機能を有するレンズシステムの構成図であり、図２は、撮影レンズのレンズ鏡胴にモータ駆動用の駆動ユニットが標準的に装着されたいわゆるＥＮＧタイプの撮影レンズで構築されるメタデータ出力機能を有するレンズシステムの構成図である。
【００１４】
まず、図１のレンズシステムについて説明すると、同図において、カメラ本体５０に装着される撮影レンズ１０はシネマ用の撮影レンズであり、同図では、レンズ鏡胴内のフォーカスレンズ（群）、ズームレンズ（群）、絞りの配置箇所に対応してフォーカス部１４、ズーム部１６、アイリス部１８とに分けて示されている。各部でのレンズ鏡胴周部には操作リングが回動可能に設けられており、ピント調整を行う場合にフォーカス部１４の操作リング（フォーカスリング）を回動操作すると、これに連動してレンズ鏡胴内のフォーカスレンズが光軸方向に移動し、撮影レンズの被写体距離が変化する。ズーム調整を行う場合にズーム部１６の操作リング（ズームリング）を回動操作すると、これに連動してレンズ鏡胴内のズームレンズが光軸方向に移動し、撮影レンズ１０の焦点距離が変化する。光量調整を行う場合にアイリス部１８の操作リング（アイリスリング）を回動操作すると、これに連動してレンズ鏡胴内の絞りが開閉動作し、撮影レンズ１０の絞り値が変化する。
【００１５】
また、同図のレンズシステムでは撮影レンズ１０の後部に撮影レンズ１０の焦点距離を所定倍に変換するエクステンダー１２が装着されている。このエクステンダー１２は必要な場合にのみ装着され、不要な場合には撮影レンズ１０から取り外すことができる着脱可能な外付けの光学アクセサリーであり、本来、撮影レンズ１０をカメラ本体５０に装着するために設けられている撮影レンズ１０のマウント部とカメラ本体５０のマウント部に対して、エクステンダー１２の前面側と背面側にそれらのマウント部に接合するマウント部が設けられている。撮影レンズ１０のマウント部とエクステンダー１２の前面側のマウント部を接合し、カメラ本体５０のマウント部とエクステンダー１２の背面側のマウント部を接合することによって、撮影レンズ１０の光学系にエクステンダー１２の光学系を挿入することができるようになっている。
【００１６】
通常、シネマタイプの撮影レンズ１０では、上記フォーカスレンズ、ズームレンズ、絞りを電動で制御するための装置は装備されていないが、同図に示すように制御ボックス２６、フォーカスコントローラ２８、ズームコントローラ３０、駆動部２０、２２、２４等を用いてレンズシステムを構築することによって電動で制御することが可能となる。
【００１７】
各駆動部２０、２２、２４は、撮影レンズ１０のフォーカス部１４、ズーム部１６、アイリス部１８の各部においてレンズ鏡胴に装着される。各駆動部２０、２２、２４にはモータが搭載されており、各駆動部２０、２２、２４をレンズ鏡胴に装着すると、各駆動部２０、２２、２４のモータの出力軸がフォーカス部１４、ズーム部１６、アイリス部１８の各部１４、１６、１８の操作リングのギヤと係合するようになっている。これによって、各駆動部２０、２２、２４のモータの駆動によって各操作リングが電動で回動し、これに連動してレンズ鏡胴内のフォーカスレンズ、ズームレンズ、絞りが上述のように駆動される。
【００１８】
また、各駆動部２０、２２、２４には位置センサが配置されており、各位置センサからは各操作リング（又は各モータ）の回転位置に連動した値の電圧信号が出力されるようになっている。これによって、フォーカスレンズの位置に対応した値のフォーカス位置の情報、ズームレンズの位置に対応した値のズーム位置の情報、絞りの位置（開閉度）に対応した値の絞り位置の情報が得られるようになっている。
【００１９】
制御ボックス２６は、レンズシステム全体を統括的に制御するためにＣＰＵなどの処理回路を内蔵したユニットであり、この制御ボックス２６にはケーブルを介して他の装置と接続する端子２６Ａ〜２６Ｈが設けられている。端子２６Ａ、２６Ｂ、２６Ｃには上記駆動部２０、２２、２４が接続され、端子２６Ｄには撮影レンズ１０のレンズ鏡胴に設けられた端子１０Ａが接続される。また、端子２６Ｅにはカメラ本体５０の制御端子５０Ａが接続され、端子２６Ｆ、２６Ｇにはフォーカスコントローラ２８とズームコントローラ３０が接続される。端子２６Ｈにはレコーダ５２などのレンズシステム外の外部機器が接続される。これらの端子２６Ａ〜２６Ｈに接続された各装置と制御ボックス２６との間では以下のような信号のやり取りが行われる。
【００２０】
フォーカスコントローラ２８やズームコントローラ３０には、フォーカス操作やズーム操作をマニュアルで行うためのマニュアル操作部材が設けられており、各コントローラ２８、３０から制御ボックス２６にはそれらの操作に従ってフォーカス（フォーカスレンズ）やズーム（ズームレンズ）の位置又は移動速度の目標値を示すフォーカス指令信号やズーム指令信号が与えられる。
【００２１】
各駆動部２０、２２から制御ボックス２６には、各駆動部２０、２２の位置センサにより得られるフォーカス位置、ズーム位置の情報が与えられ、制御ボックス２６から各駆動部２０、２２には、駆動信号が与えられる。この駆動信号により各駆動部２０、２２のモータがその駆動信号の電圧に応じた回転速度で駆動され、これに連動して撮影レンズ１０のフォーカスやズームが駆動される。駆動信号の電圧値は制御ボックス２６での処理により可変され、その電圧値によってモータの回転速度が制御されて各コントローラ２８、３０からのフォーカス指令信号やズーム指令信号により指定された目標値に一致するように撮影レンズ１０のフォーカスやズームの位置又は移動速度が制御される。
【００２２】
カメラ本体５０の制御端子５０Ａから制御ボックス２６には、電源や絞り位置の目標値を示すアイリス制御信号が与えられる。カメラ本体５０から与えられる電源により制御ボックス２６内の各回路が動作すると共に、制御ボックス２６の各端子２６Ａ〜２６Ｄ、２６Ｆ、２６Ｇに接続された装置への電力の供給が行われる。
【００２３】
駆動部２４から制御ボックス２６には、位置センサにより得られる絞り位置の情報が与えられ、制御ボックス２６から駆動部２４には、駆動信号が与えられる。この駆動信号により駆動部２４のモータがその駆動信号の電圧に応じた回転速度で駆動され、これに連動して撮影レンズ１０の絞りが駆動される。駆動信号の電圧値は制御ボックスにより可変され、その電圧値によってモータの回転速度が制御されてカメラ本体５０からのアイリス指令信号により指定された目標値に一致するように撮影レンズ１０の絞りの位置が制御される。
【００２４】
撮影レンズ１０の端子１０Ａから制御ボックス２６には、詳細を後述するように撮影レンズ１０の後部のマウント部に装着可能なエクステンダーの有無や同図のようにエクステンダー１２が装着された場合のその倍率（エクステンダー倍率）の情報が与えられる。撮影レンズ１０のマウント部とそのマウント部に接合されるエクステンダー１２のマウント部には詳細を後述するように電気的に接続される接点が設けられており、マウント部を接合してエクステンダー１２を撮影レンズ１０に装着すると、その接点から撮影レンズ１０の端子１０Ａを介してエクステンダー倍率の情報が得られるようになっている。同図において、接続部３２は、撮影レンズ１０とエクステンダー１２との間で電気的な接続が行われていることを示したものである。尚、エクステンダーが撮影レンズ１０に装着されていない場合は、倍率が１倍のエクステンダーが装着された場合に等しいものとし、エクステンダーの有無もエクステンダー倍率の情報によって示されるものとする。
【００２５】
制御ボックス２６の端子２６Ｈに接続された外部機器（図ではレコーダ５２）には、撮影レンズ１０や撮影レンズ１０に装着されたエクステンダー１２による撮影光学系全体の被写体距離、焦点距離、絞り値を示すレンズ情報がメタデータとして逐次出力される。詳細は後述するが、これらの情報は、制御ボックス２６において上述のように各駆動部２０、２２、２４の位置センサから逐次取得される現在のフォーカス位置、ズーム位置、絞り位置の情報と、撮影レンズ１０の端子１０Ａから取得されるエクステンダー倍率の情報とに基づいて求められる。
【００２６】
続いて図２のレンズシステムについて説明する。尚、図１と一致又は類似する構成部には図１と同一符号を付し、その詳細な説明は省略する。同図のレンズシステムにおいてカメラ本体５０に装着される撮影レンズ１０は取材撮影等で使用されるテレビ放送用のＥＮＧレンズと呼ばれる撮影レンズであり、撮影レンズ１０自体は図１で示した撮影レンズ１０と同様に構成されている。また、本レンズシステムにおいても図１のレンズシステムと同様に撮影レンズ１０の後部に撮影レンズ１０の焦点距離を所定倍に変換するエクステンダー１２が光学アクセサリーとして装着されている。
【００２７】
ＥＮＧレンズのような撮影レンズ１０の場合には、標準的にレンズ鏡胴の側部に駆動ユニット４０と呼ばれる装置が装着されており、その駆動ユニット４０には、撮影レンズ１０のフォーカス部１４、ズーム部１６、アイリス部１８の各操作リングのギヤに連結されたモータが内蔵されている。これによって各操作リングを電動で回動させることができるようになっている。また、駆動ユニットには各操作リングの回転位置に連動した値の電圧信号を出力する位置センサが配置されており、これによってフォーカス位置、ズーム位置、絞り位置の情報が得られるようになっている。更に、駆動ユニット４０には、図１の制御ボックスと同様の処理を行うことができるＣＰＵなどの各種処理回路が搭載されている。即ち、駆動ユニット４０は、図１のレンズシステムにおける駆動部２０〜２４と制御ボックス２６を一体の装置として構成し、レンズ鏡胴に装着したものとみなすことができ、電気的なシステム構成上で図１のレンズシステムと大きな相違はない。
【００２８】
駆動ユニット４０にはケーブルを介して他の装置と接続する端子４０Ａ〜４０Ｄが設けられており、図１のレンズシステムと同様に、端子４０Ａにはカメラ本体５０の制御端子５０Ａが接続され、端子４０Ｂ、４０Ｃにはフォーカスコントローラ２８とズームコントローラ３０が接続される。端子４０Ｄにはレコーダ５２などのレンズシステム外の外部機器が接続される。尚、駆動ユニット４０と各端子４０Ａ〜４０Ｄに接続される装置との間でやり取りされる信号の内容等は、図１の制御ユニット２６と各端子２６Ｅ〜２６Ｈに接続される装置との間でのやり取りと等しいため説明は省略する。
【００２９】
また、図１のレンズシステムと同様に撮影レンズ１０のマウント部とそのマウント部に接合されるエクステンダー１２のマウント部との間は接続部３２によって電気的に接続されており、撮影レンズ１０のレンズ鏡胴にはそれによって得られるエクステンダー倍率の情報を出力する図示しない端子が配置されている。これによって、駆動ユニット４０内のＣＰＵがその端子からエクステンダー倍率の情報を取得することができるようになっている。
【００３０】
次に、図１、図２のレンズシステムにおいて、メタデータ出力機能に関する構成、処理について説明する。図３は、そのシステム構成を示した図である。同図に示すＣＰＵ６０は、図１のレンズシステムでは制御ボックス２６に搭載され、図２のレンズシステムでは駆動ユニット４０に搭載されている。ＣＰＵ６０は、詳細を後述するメタデータ出力機能に関する処理以外に上述したフォーカス、ズーム、絞りの制御等も行うがこれについては省略する。
【００３１】
フォーカス位置センサ６２、ズーム位置センサ６４、アイリス位置センサ６６は、図１のレンズシステムではそれぞれフォーカス部１４の駆動部２０、ズーム部１６の駆動部２２、アイリス部１８の駆動部２４に搭載され、図２のレンズシステムでは、駆動ユニット４０内に搭載されている。各位置センサ６２、６４、６６からは、それぞれ撮影レンズ１０のフォーカスレンズ、ズームレンズ、絞りの位置に対応した値の電圧信号が出力され、フォーカス位置、ズーム位置、絞り位置の情報としてＣＰＵ６０に与えられる。
【００３２】
エンコーダ６８は、撮影レンズ１０に装着されたエクステンダー１２の倍率を検出するための回路であり、撮影レンズ１０のレンズ鏡胴の外周部、内周部、又は、専用に設けた空洞部等に配置される。尚、エンコーダ６８は撮影レンズ１０以外の装置（図１の制御ボックス２６や図２の駆動ユニット４０等）に搭載してもよい。このエンコーダ６８は３つの入力端子Ａ、Ｂ、Ｃを備えており、各入力端子Ａ、Ｂ、Ｃの電圧レベルに応じた３ビットの２進データを出力端子Ｄから出力する。具体的には、入力端子Ａ、Ｂ、Ｃに各々に印加される入力電圧が所定のしきい値より高い場合（入力電圧がＨｉｇｈレベルの場合）には、その入力端子に対応するビットの値を１とし、入力電圧が前記しきい値以下の場合（入力電圧がＬｏｗレベルの場合）には、その入力端子に対応するビットの値を０とする。そして、各入力端子Ａ、Ｂ、Ｃに対応する各ビットの値を例えば入力端子Ａ、Ｂ、Ｃの順に上位桁から並べて３桁の２進データを生成して出力する。これによって、各入力端子Ａ、Ｂ、Ｃに印加される電圧レベルがＨｉｇｈレベルかＬｏｗレベルかの組み合わせで表される８通りの電圧状態がエンコーダ６８の出力信号により識別される。
【００３３】
一方、撮影レンズ１０のマウント部には４つの接点１、２、３、４が設けられており、そのうち、３つの接点１、２、３はエンコーダ６８の各入力端子Ａ、Ｂ、Ｃに接続される。接点４は少なくとも前記ビットの値を決めるしきい値よりも高い電圧（Ｈｉｇｈレベルの電圧）の電源Ｖに抵抗を介して接続される。尚、電源Ｖは、図１のレンズシステムでは制御ボックス２６を介して、図２のレンズシステムでは駆動ユニット４０を介してカメラ本体５０の制御端子５０Ａから供給される。
【００３４】
撮影レンズ１０にエクステンダーが装着されていない場合、接点１、２、３は開放状態となる。この場合、エンコーダ６８の入力端子Ａ、Ｂ、Ｃに印加される電圧はいずれもＬｏｗレベルとなり、エンコーダ６８からは「０００」の２進データが出力される。
【００３５】
これに対して、図１、図２のように撮影レンズ１０にエクステンダー１２が装着された場合には、接点１、２、３のうち、少なくとも１つの接点にＨｉｇｈレベルの電圧が印加されるようになっている。撮影レンズ１０のマウント部に接合するエクステンダー１２のマウント部には、図３に示すように撮影レンズ１０のマウント部の４つの接点１、２、３、４に対応する接点１′、２′、３′、４′が設けられている。そのうちの接点１′、２′、３′はエクステンダー１２側における配線によって接点４′と接続又は非接続の状態となっている。各接点１′、２′、３′のうちどの接点を接点４′に接続しておくかは、その配線が施されるエクステンダーの倍率によって決められており、エクステンダー倍率が異なれば接点４′に接続する端子と接続しない端子が異なる。例えば、エクステンダー倍率が２倍の場合には、接点３′が接点４′に接続され、それ以外の接点１′、２′は接点４′に接続されない。エクステンダー倍率が４倍の場合には、接点２′が接点４′に接続され、それ以外の接点１′、３′は接点４′に接続されない。また、エクステンダー倍率によっては、接点１′、２′、３′のうち１つの接点だけでなく複数の接点が接点４′に接続される。このようにして７通りのエクステンダー倍率まで接点間の配線を異なる態様で施すことができるようになっている。尚、図３において各接点１′、２′、３′と接点４′との間に配置されたスイッチは、実際に設けられるものではなく、エクステンダー倍率によって各接点１′、２′、３′と接点４′との間が接続されている場合と接続されていない場合とがあることを示している。また、接点１′、２′、３′のうち接点４′と接続されない接点は、実施には設けなくてもよい。但し、単一のエクスタンダーで複数の倍率に切替え可能な場合には、各接点１′、２′、３′と接点４′との間の接続と非接続とを図３のようなスイッチによってエクステンダー１２の倍率に応じて切り替えられるようにしてもよい。
【００３６】
撮影レンズ１０に所定倍率のエクステンダー１２を装着した場合、撮影レンズ１０の接点１、２、３、４とエクステンダー１２の接点１′、２′、３′、４′とが対応する接点同士（接点１と接点１′、接点２と接点２′、…）で接触して電気的に接続される。これによって、エクステンダー１２の接点４′には撮影レンズ１０の接点４に接続された電源ＶのＨｉｇｈレベルの電圧が印加される。また、エクステンダー１２の接点１′、２′、３′のうち接点４′に接続された接点の電圧がＨｉｇｈレベルとなり、接点４′に接続されていない接点の電圧がＬｏｗレベルとなる。その結果、撮影レンズ１０の各接点１、２、３を介してエクステンダー１２の各接点１′、２′、３′に接続されたエンコーダ６８の各入力端子Ａ、Ｂ、Ｃに各接点１′、２′、３′と同じＨｉｇｈレベル又はＬｏｗレベルの電圧が印加される。従って、エンコーダ６８の各入力端子Ａ、Ｂ、Ｃには、撮影レンズ１０に装着されたエクステンダー１２の倍率に応じてＨｉｇｈレベル又はＬｏｗレベルの電圧が印加され、エクステンダー倍率に応じた値の３ビットの２進データがエンコーダ６８から出力される。エンコーダ６８から出力される２進データが「０００」の場合は上述のように撮影レンズ１０にエクステンダーが装着されていない場合であり、この場合をエクステンダー倍率が１倍の場合とすると、３ビットの２進データによって８通りのエクステンダー倍率が識別される。尚、エンコーダ６８から出力される３ビットの２進データの値は、エクステンダー倍率の値自体を示すものではないが、３ビットの２進データの値と、その値が得られるときのエクステンダー倍率とを事前に対応付けしておくことによって２進データからエクステンダー倍率を知ることができる。
【００３７】
ＣＰＵ６０は、所定の端子（図１では端子２６Ｈ、図２では端子４０Ｄ）に接続された外部機器（レコーダ等）からの要求に従って図示しない通信回路を通じて撮影レンズ１０及びエクステンダー１２によって構成される撮影光学系全体としての被写体距離、焦点距離、絞り値を示すレンズ情報をメタデータとして出力する。まず、撮影レンズ１０にエクステンダーが装着されていない場合と同様に撮影レンズ１０の光学系のみでの被写体距離、焦点距離、絞り値を求める。そこで、ＣＰＵ６０は、各位置センサ６２、６４、６６から出力される電圧信号を図示しないＡ／Ｄ変換器を介して読み取り、それらの電圧値を撮影レンズ１０のフォーカス位置、ズーム位置、絞り位置の情報（値）として取得する。そして、取得したフォーカス位置、ズーム位置、絞り位置の値に基づいて撮影レンズ１０の被写体距離、焦点距離、絞り値を求める。原則的にはフォーカス位置の値から被写体距離を求め、ズーム位置の値から焦点距離を求め、絞り位置の値から絞り値を求める。
【００３８】
その際、各位置センサ６２、６４、６６の出力電圧の値であるフォーカス位置の値、ズーム位置の値、絞り位置の値と、それらの各値での撮影レンズ１０の焦点距離、被写体距離、絞り値との対応関係は、撮影レンズ１０の種類等によって異なるため、事前にその対応関係を示す対応データ（撮影レンズデータ）が作成され、ＣＰＵ６０によって読取可能なメモリ（図３のＥＥＰＲＯＭ７０や、レンズシステムを構成する装置のいずれか装填されてＣＰＵ６０で参照することが可能なメモリカード等の外部記憶媒体）に記憶される。
【００３９】
ＣＰＵ６０は、その撮影レンズデータをメモリから参照することによって、各位置センサ６２、６４、６６から取得した現在のフォーカス位置の値、ズーム位置の値、絞り位置の値に対する撮影レンズ１０の被写体距離、焦点距離、絞り値を求める。このようにして求められる撮影レンズ１０の被写体距離、焦点距離、絞り値の情報は、ＣＰＵ６０が撮影レンズ１０のフォーカス位置、ズーム位置、絞り位置を各位置センサ６２、６４、６６から逐次取得することによって撮影レンズ１０の設定状態の変化と共に更新される。
【００４０】
もし、撮影レンズ１０にエクステンダーが装着されていない場合、即ち、エンコーダ６８から取得したエクステンダー倍率の情報が１倍を示す場合には、上述のようにして求めた撮影レンズ１０の被写体距離、焦点距離、絞り値を示すレンズ情報がメタデータとして出力される。
【００４１】
一方、ＣＰＵ６０は、図１、２のように撮影レンズ１０にエクステンダー１２が装着されている場合には、撮影レンズ１０の被写体距離、焦点距離、絞り値の情報をそのままメタデータとして出力するのではなく、エクステンダー１２が装着されていることを考慮して撮影光学系全体としての被写体距離、焦点距離、絞り値を求めて、その情報をメタデータとして出力する。
【００４２】
そこでＣＰＵ６０は、撮影レンズ１０のエンコーダ６８からエクステンダー倍率の情報を取得する。このエクステンダー倍率の情報は、上述のように３ビットの２進データであるが、その値自体がエクステンダー倍率を示すものではない。そのため、上記撮影レンズデータと同様にＣＰＵ６０により参照可能なメモリ（ＥＥＰＲＯＭ７０等）に、エンコーダ６８からの２進データの値と、エクステンダー倍率との対応関係を規定した対応データ（エクステンダーデータ）が記憶されている。ＣＰＵ６０は、そのエクステンダーデータをメモリから参照することによって、エンコーダ６８から取得した２進データの値に対応するエクステンダー倍率を求める。そして、求めたエクステンダー倍率と、撮影レンズ１０の被写体距離、焦点距離、絞り値とに基づいて、撮影レンズ１０の光学系とエクステンダー１２の光学系の両方を含む撮影光学系全体としての被写体距離、焦点距離、絞り値を求める。
【００４３】
即ち、エンコーダ６８からの情報により取得したエクステンダー倍率が１倍の場合には、撮影レンズ１０にエクステンダーが装着されていないことを示し、上述のように求めた撮影レンズ１０の被写体距離、焦点距離、絞り値の情報が撮影光学系全体としての被写体距離、焦点距離、絞り値を示すレンズ情報となる。
【００４４】
これに対して、エンコーダ６８からの情報により取得したエクステンダー倍率が１倍以外の場合（Ｘ倍の場合）には、撮影レンズ１０にエクステンダー１２が装着されていることを示す。このとき、撮影光学系全体としての被写体距離の値は撮影レンズ１０の被写体距離と変わらないが、撮影光学系全体としての焦点距離、絞り値は、撮影レンズ１０の焦点距離、絞り値と相違する。即ち、エクステンダー倍率がＸ倍の場合、撮影レンズ１０の焦点距離、絞り値をＸ倍することによって撮影レンズ１０の焦点距離、絞り値を修正し、撮影光学系全体としての焦点距離、絞り値を求める。
【００４５】
このようにして撮影光学系全体としての被写体距離、焦点距離、絞り値を求めると、ＣＰＵ６０は、求めた被写体距離、焦点距離、絞り値を示すレンズ情報をメタデータとして外部機器に出力する。これによって、外部機器では、撮影レンズ１０にエクステンダーが装着されているか否か、また、何倍のエクステンダーが装着されているか等の情報を考慮してメタデータを修正することなく、本来必要な撮影光学系全体としてのレンズ情報を容易に取得することができる。
【００４６】
以上、上記実施の形態では、撮影レンズ１０に装着されたエクステンダー１２の倍率を、倍率によって異なるコード化されたエンコーダ６８からの情報によって検出するようにしたが、エクステンダー１２の倍率を検出する方法はこれに限らない。例えば、図４に示すように、撮影レンズ１０において、マウント部に接点１、２を設け、接点２に所定電圧の電源Ｖを抵抗Ｒ２を介して接続すると共に、接点１を抵抗Ｒ１を介して接地し、接点１の電圧をＡ／Ｄ変換器８０でデジタル信号に変換して上記ＣＰＵ６０に送信する構成とする。一方、エクステンダー１２のマウント部には、撮影レンズ１０のマウント部に接合した場合に上記接点１、２の各々と接合する接点１′、２′を設け、それらの接点１′、２′の間に、エクステンダー倍率によって異なる値の抵抗ｒを接続する構成する。これによれば、撮影レンズ１０に接続されたエクステンダーの倍率に応じた値のデジタル信号がＡ／Ｄ変換器８０からＣＰＵ６０に送信されるため、ＣＰＵ６０はその値からエクステンダー倍率を知ることができる。
【００４７】
また、上記実施の形態では、エクステンダーの有無、又は、エクステンダーが装着された場合のその倍率の情報を撮影レンズ１０を介して図１の制御ボックス２６や、図２の駆動ユニット４０で取得するようにしたが、撮影レンズ１０を介さずに制御ボックス２６や駆動ユニット４０でエクステンダーから直接取得するようにしてもよい。
【００４８】
また、上記実施の形態では、撮影レンズ１０にエクステンダー１２が装着された場合について説明したが、撮影レンズ１０にエクステンダー以外の光学アクセサリーが撮影レンズ１０の前端や後端に装着された場合にも上記実施の形態と同様にして光学アクセサリーを含む撮影光学系全体のレンズ情報をメタデータとして出力することができる。例えば、エクステンダー以外の光学アクセサリーとして撮影レンズ１０の前面に装着されるワイドコンバーター、テレコンバーター、効果フィルタなど知られており、それらの光学アクセサリーによって撮影光学系の焦点距離や絞り値等が変化する。そこで、撮影レンズ１０に装着された光学アクセサリーの種類を上記実施の形態と同様にして自動で判別し、その種類に応じて撮影レンズ１０の焦点距離や絞り値などのレンズ情報を修正することによって撮影光学系全体としてのレンズ情報をメタデータとして外部機器に出力することができる。
【００４９】
また、上記実施の形態では、撮影レンズ１０にエクステンダー１２のような光学アクセサリーが装着された場合に、撮影レンズ１０の光学系のみに関して得られたレンズ情報の値を修正して光学アクセサリーの光学系を含む撮影光学系全体としてレンズ情報を求めて外部機器に出力するようにしたが、撮影レンズ１０の光学系のみに関して得られたレンズ情報に、光学アクセサリーの種類に関する情報を付加するようにしてもよい。例えば、上記実施の形態の例において、撮影レンズ１０の光学系のみでの被写体距離、焦点距離、絞り値のレンズ情報に、エクステンダー１２の倍率の情報を付加したものを撮影光学系全体としてレンズ情報として外部機器に出力するようにしてもよい。
【図面の簡単な説明】
【００５０】
【図１】図１は、シネマタイプの撮影レンズで構築されるメタデータ出力機能を有するレンズシステムの構成図である。
【図２】図２は、ＥＮＧタイプの撮影レンズで構築されるメタデータ出力機能を有するレンズシステムの構成図である。
【図３】図３は、撮影光学系のレンズ情報をメタデータとして出力するシステム構成を示した図である。
【図４】図４は、エクステンダー倍率を検出するための他の実施の形態を示した構成図である。
【符号の説明】
【００５１】
１０…撮影レンズ、１２…エクステンダー、１４…フォーカス部、１６…ズーム部、１８…アイリス部、２６…制御ボックス、２８…フォーカスコントローラ、３０…ズームコントローラ、４０…駆動ユニット、５０…カメラ本体、６０…ＣＰＵ、６２…フォーカス位置センサ、６４…ズーム位置センサ、６６…アイリス位置センサ、６８…エンコーダ
【図１】
2005266524.tif 000003
【図２】
2005266524.tif 000004
【図３】
2005266524.tif 000005
【図４】
2005266524.tif 000006